(57)【要約】【課題】ＴＲＣＨに対して設定される各種の条件に対応して、アウターループ制御にかかる最適なＴＲＣＨを選択すること。【解決手段】無線通信装置１００は、周波数帯域を共有する複数のトランスポートチャネル（ＴＲＣＨ）を用いて基地局との間でデータ通信を行う場合に、このＴＲＣＨを利用して伝送されるデータの符号化方法を基にして基準ＴＲＣＨを選択する。そして、無線通信装置１００は、基準ＴＲＣＨを利用して伝送されるデータのＢＬＥＲ（Block  Error  Rate）が目標のＢＬＥＲ（Target  BLER）となるように、アウターループ制御を実行する。【選択図】図２
2010212796.tif 000002
【特許請求の範囲】
【請求項１】
周波数帯域を共有する複数のチャンネルを用いて基地局との間でデータ通信を行う場合に、前記周波数帯域を共有する複数のチャンネルと当該チャンネルを利用して伝送されるデータの符号化方法とを対応付けて記憶する記憶手段と、
前記チャンネルを利用して伝送されるデータの符号化方法を基にして、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【請求項２】
周波数帯域を共有する複数のチャンネルを用いて基地局との間でデータ通信を行う場合に、前記周波数帯域を共有する複数のチャンネルを利用して伝送されるデータのレートマッチング率を算出する算出手段と、
前記算出手段の算出結果に基づいて、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【請求項３】
周波数帯域を共有する複数のチャンネルを用いて基地局との間でデータ通信を行う場合に、前記周波数帯域を共有する複数のチャンネルと当該チャンネルを利用して伝送されるデータの目標となるエラーレイトとを対応付けて記憶する記憶手段と、
前記チャンネルを利用して伝送されるデータの目標となるエラーレイトを基にして、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【請求項４】
周波数帯域を共有する複数のチャンネルを用いて基地局との間でデータ通信を行う場合に、前記周波数帯域を共有する複数のチャンネルと、当該チャンネルを利用して伝送されるデータの符号化方法と、前記データの目標となるエラーレイトとを対応付けて記憶する記憶手段と、
前記チャンネルを利用して伝送されるデータのレートマッチング率を算出する算出手段と、
前記算出手段の算出結果と、前記データの符号化方法と、前記データの目標となるエラーレイトとを基にして、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【請求項５】
前記記憶手段は、前記データの符号化方法に対応するポイントと、前記データの目標となるエラーレイトに対応するポイントとを記憶し、前記レートマッチング率をポイントに変換するポイント変換手段を更に備え、前記選択手段は、前記符号化方法のポイントと、前記目標となるエラーレイトのポイントと、前記レートマッチング率のポイントとを基にして、基準となるチャンネルを選択することを特徴とする請求項４に記載の無線通信装置。
【発明の詳細な説明】
【技術分野】
【０００１】
この発明は、複数のトランスポートチャネルを利用して基地局との間でデータ通信を実行する無線通信装置に関するものである。
【背景技術】
【０００２】
近年、携帯電話等の無線通信装置と基地局との間でデータ通信を行う場合に、Ｗ−ＣＤＭＡ（Wideband  Code  Division  Multiple  Access）と呼ばれる通信方式が利用されている。このＷ−ＣＤＭＡでは、各トランスポートチャネル（ＴＲＣＨ）に割り当てる拡散コードによって、各ＴＲＣＨを区別し、複数のＴＲＣＨを一つの周波数帯域で共有して通信を行う。
【０００３】
しかし、実際の移動通信環境においては、他セルからの電波の干渉等により、基地局と接続した無線通信装置の受信信号の品質を、所望の品質に安定して保つことは困難である。このような問題を解消するために、無線通信装置は、ＳＩＲ（信号対干渉電力比）を測定し、測定したＳＩＲが目標のＳＩＲ（Target  SIR）に近付くようにインナーループ（Inner  Loop）制御を実行する。
【０００４】
なお、通信中の移動速度の変化や移動による伝搬環境が変化するため、所望の品質（ブロックエラーレート＝ＢＬＥＲ＜Block  Error  Rate＞）を得るためのＳＩＲは一定ではない。これらの変化に対応するために、無線通信装置は、ＢＬＥＲを測定し、測定したＢＬＥＲが目標となるＢＬＥＲ（Target  BLER）よりも悪ければ、Target  SIRを増加させ、良ければTarget  SIRを減少させるアウターループ（Outer  Loop）制御を実行する（例えば、特許文献１参照）。
【０００５】
既存の無線通信装置においては、ＴＲＣＨ毎にアウターループ制御の基準が異なっているため、複数のＴＲＣＨが存在する場合には、無線通信装置は、複数のＴＲＣＨの中からＴＲＣＨを選択し、選択したＴＲＣＨの基準に従ってアウターループ制御を行っている。
【０００６】
無線通信装置が、複数のＴＲＣＨの中から特定のＴＲＣＨを選択する場合には、ＴＲＣＨによって転送されるデータの種別（音声データ、画像データ）、データ種別の組合せ等に基づいて選択している。例えば、音声データを転送するＴＲＣＨと、画像データを転送するＴＲＣＨとが存在する場合には、画像データを転送するＴＲＣＨを選択している。
【０００７】
なお、各ＴＲＣＨに対するＢＬＥＲを測定し、測定したＢＬＥＲが最も劣化しているＴＲＣＨを選択してアウターループ制御を行い、最終的に、Target  BLER以下に劣化するＴＲＣＨが一つも存在しないように制御するという試みもなされている（例えば、特許文献２参照）。
【先行技術文献】
【特許文献】
【０００８】
【特許文献１】特開２００６−８０９２４号公報
【特許文献２】特表２００７−５００９６９号公報
【発明の概要】
【発明が解決しようとする課題】
【０００９】
しかしながら、上述した従来の技術では、予め想定される条件によって基準となるＴＲＣＨを選択しているため、想定外の条件（例えば、パケットに含まれるデータの種別が想定外の組合せとなっている場合）に対応することができず、必ずしも最適なアウターループ制御を実施することができないという問題があった。
【００１０】
また、上記のように、各ＴＲＣＨに対するＢＬＥＲを測定し、測定結果に基づいて最適なＴＲＣＨを選択する手法も考えられるが、ＢＬＥＲの測定にはかなりの時間を要するため、通信開始からＢＬＥＲが安定するまで時間をロスしてしまう恐れがあった。
【００１１】
すなわち、ＴＲＣＨに対して設定される各種の条件に対応して、アウターループ制御にかかる最適なＴＲＣＨを選択することが極めて重要な課題となっている。
【００１２】
この発明は、上述した従来技術による問題点を解消するためになされたものであり、ＴＲＣＨに対して設定される各種の条件に対応して、アウターループ制御にかかる最適なＴＲＣＨを選択することができる無線通信装置を提供することを目的とする。
【課題を解決するための手段】
【００１３】
上述した課題を解決し、目的を達成するため、この無線通信装置は、周波数帯域を共有する複数のチャンネルを用いて基地局との間でデータ通信を行う場合に、前記周波数帯域を共有する複数のチャンネルと当該チャンネルを利用して伝送されるデータの符号化方法とを対応付けて記憶する記憶手段と、前記チャンネルを利用して伝送されるデータの符号化方法を基にして、基準となるチャンネルを選択する選択手段と、前記選択手段によって選択されたチャンネルを利用して伝送されるデータのエラーレイトが目標のエラーレイトとなるようにアウターループ制御を実行するアウターループ制御手段と、を備えたことを要件とする。
【発明の効果】
【００１４】
この無線通信装置によれば、符号化方法に基づいて基準となるチャンネルを選択するので、最適なチャンネルを選択でき、結果的に、回線品質の安定性を保つことができる。
【図面の簡単な説明】
【００１５】
【図１】ＢＬＥＲとＳＩＲとの関係を説明する図である。
【図２】本実施例１にかかる無線通信装置の構成を示す機能ブロック図である。
【図３】本実施例１にかかる符号化管理テーブルのデータ構造の一例を示す図である。
【図４】本実施例１にかかるポイント管理テーブルのデータ構造の一例を示す図である。
【図５】本実施例１にかかる無線通信装置がＴＲＣＨを選択する処理手順を示すフローチャートである。
【図６】本実施例２にかかる無線通信装置の構成を示す機能ブロック図である。
【図７】本実施例２にかかる無線通信装置がＴＲＣＨを選択する処理手順を示すフローチャートである。
【図８】本実施例３にかかる無線通信装置の構成を示す機能ブロック図である。
【図９】本実施例３にかかるポイント管理テーブルのデータ構造の一例を示す図である。
【図１０】本実施例３にかかる無線通信装置がＴＲＣＨを選択する処理手順を示すフローチャートである。
【図１１】本実施例４にかかる無線通信装置の構成を示す機能ブロック図である。
【図１２】本実施例４にかかる無線通信装置がＴＲＣＨを選択する処理手順を示すフローチャートである。
【発明を実施するための形態】
【００１６】
以下に添付図面を参照して、この発明に係る無線通信装置の好適な実施の形態を詳細に説明する。
【実施例１】
【００１７】
まず、本実施例１にかかる無線通信装置の概要および特徴について説明する。本実施例１にかかる無線通信装置は、周波数帯域を共有する複数のトランスポートチャネル（ＴＲＣＨ）を用いて基地局との間でデータ通信を行う場合に、このＴＲＣＨを利用して伝送されるデータの符号化方法を基にして基準となるＴＲＣＨ（以下、基準ＴＲＣＨと表記する）を選択する。そして、無線通信装置は、基準ＴＲＣＨを利用して伝送されるデータのＢＬＥＲ（Block  Error  Rate）が目標のＢＬＥＲ（Target  BLER）となるように、アウターループ制御を実行する。
【００１８】
このように、本実施例１にかかる無線通信装置は、データの符号化方法を基にして複数のＴＲＣＨの中から基準ＴＲＣＨを選択するので、最適なＴＲＣＨを選択でき、アウターループ制御を適切に実行することができる（回線品質の安定性を保つことができる）。
【００１９】
次に、本実施例１で利用するアウターループ制御およびインナーループ制御について説明する。アウターループ制御は、現在のＢＬＥＲとTarget  BLERとを比較して、現在のＢＬＥＲがTarget  BLERに収束するように、無線通信装置内の目標となるＳＩＲ（信号対干渉比）の上げ下げを行う制御である。以下において、目標となるＳＩＲをTarget  SIRと表記する。
【００２０】
インナーループ制御は、希望のＳＩＲで信号を受信できるように、現在のＳＩＲと、Target  SIRとを比較して、現在のＳＩＲがTarget  SIRに含まれるように、基地局に対して下り電力の上げ下げ依頼を行う制御である。
【００２１】
次に、ＢＬＥＲとＳＩＲとの関係について説明する。図１は、ＢＬＥＲとＳＩＲとの関係を説明する図である。同図に示すように、低品質のデータを伝送するか否かによって、ＳＩＲに対するＢＬＥＲの変化の割合が異なる。具体的には、低品質のデータを転送するＴＲＣＨ（符号化利得の小さいベアラ）よりも高品質のデータを転送するＴＲＣＨ（符号化利得の大きいベアラ）のほうが、ＳＩＲに対するＢＬＥＲの変化の割合が大きい。
【００２２】
そして、同じ変化幅のTarget  BLERを設定した場合には、図１に示すように、低品質のデータを伝送するＴＲＣＨよりも高品質のデータを伝送するＴＲＣＨのほうが、Target  SIRの変化幅が小さくなる。従って、低品質のデータを伝送するＴＲＣＨよりも、高品質のデータを伝送するＴＲＣＨを基準ＴＲＣＨとして選択したほうが、Target  SIRやＢＬＥＲのバラツキが抑えられる。ＢＬＥＲのバラツキが抑えられることで、ＢＬＥＲ劣化による音切れや切断の危険を回避しやすくなると共に、ＢＬＥＲが過剰品質になることによる回線容量の圧迫を少なくすることができる。
【００２３】
次に、本実施例１にかかる無線通信装置の構成について説明する。図２は、本実施例１にかかる無線通信装置１００の構成を示す機能ブロック図である。同図に示すように、この無線通信装置１００は、アンテナ５０と、ＲＦ部１０１と、振幅調整部１０２と、ＡＤ（Analog  Digital）変換部１０３と、逆拡散処理部１０４と、チャネルコーデック処理部１０５と、拡散処理部１０６と、基準ＴＲＣＨ判定部１０７と、目標ＢＬＥＲ取得部１０８と、ＢＬＥＲ測定部１０９と、ＳＩＲ測定部１１０と、ＢＬＥＲ比較部１１１と、目標ＳＩＲ生成部１１２と、ＳＩＲ比較部１１３と、ＴＰＣビット生成部１１４とを有する。
【００２４】
このうち、ＲＦ部１０１は、アンテナ５０を利用して基地局（図示略）との間におけるデータの送受信を実行する手段である。ＲＦ部１０１は、基地局から受信したデータを振幅調整部１０２に出力し、拡散処理部１０６から入力されたデータを基地局に送信する。
【００２５】
振幅調整部１０２は、ＲＦ部１０１から入力されるデータの振幅を調整する手段である。そして、振幅調整部１０２は、振幅の調整を行ったデータをＡＤ変換部１０３に出力する。
【００２６】
ＡＤ変換部１０３は、振幅調整部１０２から入力されるデータ（アナログ信号）をデジタル信号に変換する手段である。そして、ＡＤ変換部１０３は、デジタル信号に変換したデータを逆拡散処理部１０４に出力する。
【００２７】
逆拡散処理部１０４は、拡散コード（擬似乱数等）によって拡散変調されたデータに対して逆拡散の処理を実行し、ＴＲＣＨ毎のデータを抽出する手段である。逆拡散処理部１０４は、抽出したデータを、ＴＲＣＨの識別情報と対応付けてチャネルコーデック処理部１０５に出力する。
【００２８】
チャネルコーデック処理部１０５は、データの符号化／復号化を実行する手段である。このチャネルコーデック処理部１０５は、符号化管理テーブルを保持し、符号化管理テーブルを用いてデータの符号化／復号化を実行する。図３は、本実施例１にかかる符号化管理テーブルのデータ構造の一例を示す図である。
【００２９】
図３に示すように、この符号化管理テーブルは、ＴＲＣＨを識別するＴＲＣＨ識別情報と、符号化方法とを対応付けて記憶している。例えば、図３において、ＴＲＣＨ識別番号「Ｔ０００１」によって識別されるＴＲＣＨのデータの符号化方法は、「Convolutional  Cording1/2」である旨が記録されている。符号化管理テーブルに登録される情報は、予め基地局から通知されているものとする。
【００３０】
チャネルコーデック処理部１０５は、ＴＲＣＨの識別情報と復号化対象となるデータとを逆拡散処理部１０４から取得した場合には、取得したＴＲＣＨの識別情報と、符号化管理テーブルとを比較して、符号化方法を判定し、判定した符号化方法に基づいてデータを復号化する。チャネルコーデック処理部１０５は、復号化したデータを上位レイヤに出力する。
【００３１】
一方、チャネルコーデック処理部１０５は、ＴＲＣＨの識別情報と符号化対象となるデータとを上位レイヤから取得した場合には、取得したＴＲＣＨの識別情報と、符号化管理テーブルとを比較して、符号化方法を判定し、判定した符号化方法に基づいてデータを符号化する。チャネルコーデック処理部１０５は、符号化したデータを拡散処理部１０６に出力する。
【００３２】
また、チャネルコーデック処理部１０５は、符号化管理テーブルの情報を基準ＴＲＣＨ判定部１０７に出力する。
【００３３】
拡散処理部１０６は、チャネルコーデック処理部１０５から入力されるデータを、拡散コードによって拡散変調する手段である。拡散処理部１０６は、拡散変調したデータをＲＦ部１０１に出力する。
【００３４】
基準ＴＲＣＨ判定部１０７は、符号化方法に基づいて、複数のＴＲＣＨの中から基準ＴＲＣＨを判定する手段である。具体的に、基準ＴＲＣＨ判定部１０７は、ポイント管理テーブルを保持し、チャネルコーデック処理部１０５から符号化管理テーブルの情報を取得した場合に、符号化管理テーブルと、ポイント管理テーブルとを比較して、各ＴＲＣＨに対応するポイントを特定する。
【００３５】
図４は、本実施例１にかかるポイント管理テーブルのデータ構造の一例を示す図である。同図に示すように、このポイント管理テーブルは、符号化方法と、ポイントとを対応付けて記憶している。例えば、図４において、符号化方法が「Convolutional  Cording1/2」となるＴＲＣＨのポイントは、「２０」となる。
【００３６】
基準ＴＲＣＨ判定部１０７は、各ＴＲＣＨのポイントを特定し、各ＴＲＣＨのうち、ポイントが最大となるＴＲＣＨを基準ＴＲＣＨとして判定する。基準ＴＲＣＨ判定部１０７は、基準ＴＲＣＨの識別情報を、目標ＢＬＥＲ取得部１０８およびＢＬＥＲ測定部１０９に出力する。
【００３７】
目標ＢＬＥＲ取得部１０８は、予め設定された各ＴＲＣＨのTarget  BLERの中から、基準ＴＲＣＨに対応するTarget  BLERを判定し、判定したTarget  BLERの情報をＢＬＥＲ比較部１１１に出力する手段である。
【００３８】
目標ＢＬＥＲ取得部１０８は、各ＴＲＣＨの識別情報と、Target  BLERとを対応付けた目標ＢＬＥＲテーブルを保持しており、基準ＴＲＣＨ判定部１０７から取得する、ＴＲＣＨの識別情報と、目標ＢＬＥＲテーブルとを比較することで、基準ＴＲＣＨに対応するTarget  BLERを判定する。目標ＢＬＥＲ取得部１０８は、判定結果となるTarget  BLERの情報をＢＬＥＲ比較部１１１に出力する。
【００３９】
ＢＬＥＲ測定部１０９は、ＢＬＥＲを測定する手段である。ＢＬＥＲ測定部１０９は、チャネルコーデック処理部１０５によって復号化された各ＴＲＣＨのデータに含まれるＣＲＣビットの照合を行うことで、各ＴＲＣＨのＢＬＥＲを測定する。そして、基準ＴＲＣＨ判定部１０７からＴＲＣＨの識別番号を取得した場合に、かかる識別番号のＴＲＣＨに対応するＢＬＥＲの情報をＢＬＥＲ比較部１１１に出力する。
【００４０】
ＳＩＲ測定部１１０は、ＳＩＲを測定する手段である。ＳＩＲ測定部１１０は、測定したＳＩＲの情報を、ＳＩＲ比較部１１３に出力する手段である。
【００４１】
ＢＬＥＲ比較部１１１は、Target  BLERの情報とＢＬＥＲの情報とを比較し、比較結果を目標ＳＩＲ生成部１１２に出力する手段である。
【００４２】
目標ＳＩＲ生成部１１２は、ＢＬＥＲ比較部１１１から比較結果を取得し、ＢＬＥＲがTarget  BLERに含まれるように、Target  SIRを生成する手段である。目標ＳＩＲ生成部１１２は、生成したTarget  SIRの情報を、ＳＩＲ比較部１１３に出力する。
【００４３】
ＳＩＲ比較部１１３は、Target  SIRの情報とＳＩＲの情報とを比較し、比較結果をＴＰＣビット生成部１１４に出力する手段である。
【００４４】
ＴＰＣビット生成部１１４は、ＳＩＲ比較部１１３から比較結果を取得し、ＳＩＲがTarget  SIRに含まれるように、下り電力の上げ下げ依頼を基地局に対して要求する手段である。
【００４５】
次に、本実施例１にかかる無線通信装置１００がＴＲＣＨを選択する処理について説明する。図５は、本実施例１にかかる無線通信装置１００がＴＲＣＨを選択する処理手順を示すフローチャートである。
【００４６】
図５に示すように、無線通信装置１００は、基準ＴＲＣＨ判定部１０７が、ＴＲＣＨを選択し（ステップＳ１０１）、選択したＴＲＣＨに対応する符号化方法の情報を取得する（ステップＳ１０２）。
【００４７】
そして、基準ＴＲＣＨ判定部１０７は、ＴＲＣＨに対応するポイントを判定し（ステップＳ１０３）、全てのＴＲＣＨを選択したか否かを判定する（ステップＳ１０４）。全てのＴＲＣＨを選択していない場合には（ステップＳ１０５，Ｎｏ）、次にＴＲＣＨを選択し（ステップＳ１０６）、ステップＳ１０２に移行する。
【００４８】
一方、全てのＴＲＣＨを選択した場合には（ステップＳ１０５，Ｙｅｓ）、ポイントが最大となるＴＲＣＨを基準のＴＲＣＨとして選択する（ステップＳ１０７）。
【００４９】
上述してきたように、本実施例１にかかる無線通信装置１００は、周波数帯域を共有する複数のＴＲＣＨを用いて基地局との間でデータ通信を行う場合に、このＴＲＣＨを利用して伝送されるデータの符号化方法を基にして基準ＴＲＣＨを選択する。そして、無線通信装置１００は、基準ＴＲＣＨを利用して伝送されるデータのＢＬＥＲが目標のＢＬＥＲとなるように、アウターループ制御を実行するので、最適なＴＲＣＨを選択でき、アウターループ制御を適切に実行することができる。
【００５０】
また、本実施例１にかかる無線通信装置１００は、高品質のデータとなる符号化方法のポイントよりも低品質となる符号化方法のポイントを低く設定している（図４のポイント管理テーブル参照）ので、結果的に高品質のデータを伝送するＴＲＣＨが選ばれることとなり、Target  SIRやＢＬＥＲのバラツキが抑えられる（図１参照）。
【実施例２】
【００５１】
次に、本実施例２にかかる無線通信装置の概要および特徴について説明する。本実施例２にかかる無線通信装置は、周波数帯域を共有する複数のＴＲＣＨを用いて基地局との間でデータ通信を行う場合に、このＴＲＣＨを利用して伝送されるデータのレートマッチング率を基にして基準ＴＲＣＨを選択する。そして、無線通信装置は、基準ＴＲＣＨを利用して伝送されるデータのＢＬＥＲがTarget  BLERとなるように、アウターループ制御を実行する。
【００５２】
このように、本実施例２にかかる無線通信装置は、データのレートマッチング率を基にして複数のＴＲＣＨの中から基準ＴＲＣＨを選択するので、最適なＴＲＣＨを選択でき、アウターループ制御を適切に実行することができる。
【００５３】
次に、本実施例２にかかる無線通信装置２００の構成について説明する。図６は、本実施例２にかかる無線通信装置２００の構成を示す機能ブロック図である。図６に示すように、無線通信装置２００は、アンテナ５０と、ＲＦ部２０１と、振幅調整部２０２と、ＡＤ変換部２０３と、逆拡散処理部２０４と、チャネルコーデック処理部２０５と、拡散処理部２０６と、基準ＴＲＣＨ判定部２０７と、目標ＢＬＥＲ取得部２０８と、ＢＬＥＲ測定部２０９と、ＳＩＲ測定部２１０と、ＢＬＥＲ比較部２１１と、目標ＳＩＲ生成部２１２と、ＳＩＲ比較部２１３と、ＴＰＣビット生成部２１４とを有する。
【００５４】
このうち、アンテナ５０、ＲＦ部２０１、振幅調整部２０２、ＡＤ変換部２０３、逆拡散処理部２０４、拡散処理部２０６、目標ＢＬＥＲ取得部２０８、ＢＬＥＲ測定部２０９、ＳＩＲ測定部２１０、ＢＬＥＲ比較部２１１、目標ＳＩＲ生成部２１２、ＳＩＲ比較部２１３、ＴＰＣビット生成部２１４は、図２に示した、アンテナ５０、ＲＦ部１０１、振幅調整部１０２、ＡＤ変換部１０３、逆拡散処理部１０４、拡散処理部１０６、目標ＢＬＥＲ取得部１０８、ＢＬＥＲ測定部１０９、ＳＩＲ測定部１１０、ＢＬＥＲ比較部１１１、目標ＳＩＲ生成部１１２、ＳＩＲ比較部１１３、ＴＰＣビット生成部１１４と同様である。
【００５５】
チャネルコーデック処理部２０５は、データの符号化／復号化を実行する手段である。チャネルコーデック処理部２０５が、データの符号化／復号化を実行する方法は、図２に示したチャネルコーデック処理部１０５と同様である。
【００５６】
特に、本実施例２にかかるチャネルコーデック処理部２０５は、各ＴＲＣＨの識別情報と、ＴＲＣＨにて伝送されるデータ（復号後のデータ）とを対応付けて基準ＴＲＣＨ判定部２０７に出力する。
【００５７】
基準ＴＲＣＨ判定部２０７は、各ＴＲＣＨにて伝送されるデータのレートマッチング率に基づいて、複数のＴＲＣＨの中から基準ＴＲＣＨを判定する手段である。具体的に、基準ＴＲＣＨ判定部２０７は、レートマッチング率に基づいて各ＴＲＣＨのポイントを算出し、算出したポイントが最大となるＴＲＣＨを、基準ＴＲＣＨとして選択する。
【００５８】
基準ＴＲＣＨ判定部２０７が、レートマッチング率に基づいて、ＴＲＣＨのポイントを算出する算出式は、
ＴＲＣＨのポイント＝１００×（Ｎ＋△Ｎ）／Ｎ−１００
となる。ここで、Ｎは、各ＴＲＣＨのレートマッチング率の総和であり、△Ｎは、ポイント算出対象となるＴＲＣＨのレートマッチング率である。なお、ＴＲＣＨのレートマッチング率の算出方法は、周知技術に従う。
【００５９】
基準ＴＲＣＨ判定部２０７は、各ＴＲＣＨのポイントを算出し、基準ＴＲＣＨを選択した後に、基準ＴＲＣＨの識別情報を、目標ＢＬＥＲ取得部２０８およびＢＬＥＲ測定部２０９に出力する。
【００６０】
次に、本実施例２にかかる無線通信装置２００がＴＲＣＨを選択する処理について説明する。図７は、本実施例２にかかる無線通信装置２００がＴＲＣＨを選択する処理手順を示すフローチャートである。
【００６１】
図７に示すように、無線通信装置２００は、基準ＴＲＣＨ判定部２０７が、ＴＲＣＨを選択し（ステップＳ２０１）、選択したＴＲＣＨのレートマッチング率に基づいてポイントを算出する（ステップＳ２０２）。
【００６２】
そして、基準ＴＲＣＨ判定部２０７は、全てのＴＲＣＨを選択した否かを判定し（ステップＳ２０３）、全てのＴＲＣＨを選択していない場合には（ステップＳ２０４，Ｎｏ）、次のＴＲＣＨを選択し（ステップＳ２０５）、ステップＳ２０２に移行する。
【００６３】
一方、全てのＴＲＣＨを選択している場合には（ステップＳ２０４，Ｙｅｓ）、ポイントが最大となるＴＲＣＨを基準のＴＲＣＨとして選択する（ステップＳ２０６）。
【００６４】
このように、基準ＴＲＣＨ判定部２０７は、各ＴＲＣＨのレートマッチング率に基づいて、ポイントを算出するので、時々刻々と変化するレートマッチング率に対応して最適なＴＲＣＨを選択することができる。
【００６５】
上述してきたように、本実施例２にかかる無線通信装置２００は、周波数帯域を共有する複数のＴＲＣＨを用いて基地局との間でデータ通信を行う場合に、このＴＲＣＨを利用して伝送されるデータのレートマッチング率を基にして基準ＴＲＣＨを選択する。そして、無線通信装置２００は、基準ＴＲＣＨを利用して伝送されるデータのＢＬＥＲが目標のＢＬＥＲとなるように、アウターループ制御を実行するので、最適なＴＲＣＨを選択でき、アウターループ制御を適切に実行することができる。
【実施例３】
【００６６】
次に、本実施例３にかかる無線通信装置の概要および特徴について説明する。本実施例３にかかる無線通信装置は、周波数帯域を共有する複数のＴＲＣＨを用いて基地局との間でデータ通信を行う場合に、予め設定される各ＴＲＣＨのTarget  BLERに基づいて基準ＴＲＣＨを選択する。そして、無線通信装置は、基準ＴＲＣＨを利用して伝送されるデータのＢＬＥＲがTarget  BLERとなるように、アウターループ制御を実行する。
【００６７】
このように、本実施例３にかかる無線通信装置は、予め設定される各ＴＲＣＨのTarget  BLERに基づいて基準ＴＲＣＨを選択するので、あらためてＢＬＥＲの測定などを行う手間をなくし、迅速に、最適な基準ＴＲＣＨを選択することができる。
【００６８】
次に、本実施例３にかかる無線通信装置３００の構成について説明する。図８は、本実施例３にかかる無線通信装置３００の構成を示す機能ブロック図である。図８に示すように、この無線通信装置３００は、アンテナ５０と、ＲＦ部３０１と、振幅調整部３０２と、ＡＤ変換部３０３と、逆拡散処理部３０４と、チャネルコーデック処理部３０５と、拡散処理部３０６と、基準ＴＲＣＨ判定部３０７と、目標ＢＬＥＲ取得部３０８と、ＢＬＥＲ測定部３０９と、ＳＩＲ測定部３１０と、ＢＬＥＲ比較部３１１と、目標ＳＩＲ生成部３１２と、ＳＩＲ比較部３１３と、ＴＰＣビット生成部３１４とを有する。
【００６９】
このうち、アンテナ５０、ＲＦ部３０１、振幅調整部３０２、ＡＤ変換部３０３、逆拡散処理部３０４、拡散処理部３０６、目標ＢＬＥＲ取得部３０８、ＢＬＥＲ測定部３０９、ＳＩＲ測定部３１０、ＢＬＥＲ比較部３１１、目標ＳＩＲ生成部３１２、ＳＩＲ比較部３１３、ＴＰＣビット生成部３１４は、図２に示した、アンテナ５０、ＲＦ部１０１、振幅調整部１０２、ＡＤ変換部１０３、逆拡散処理部１０４、拡散処理部１０６、目標ＢＬＥＲ取得部１０８、ＢＬＥＲ測定部１０９、ＳＩＲ測定部１１０、ＢＬＥＲ比較部１１１、目標ＳＩＲ生成部１１２、ＳＩＲ比較部１１３、ＴＰＣビット生成部１１４と同様である。
【００７０】
チャネルコーデック処理部３０５は、データの符号化／復号化を実行する手段である。チャネルコーデック処理部３０５が、データの符号化／復号化を実行する方法は、図２に示したチャネルコーデック処理部１０５と同様である。
【００７１】
基準ＴＲＣＨ判定部３０７は、各ＴＲＣＨに対応するTarget  BLERに基づいて、複数のＴＲＣＨの中から基準ＴＲＣＨを判定する手段である。基準ＴＲＣＨ判定部３０７は、ポイント管理テーブルを保持しており、予め設定された各ＴＲＣＨに対応するTarget  BLERの情報を取得した場合に、取得した情報と、ポイント管理テーブルとを比較して、各ＴＲＣＨに対応するポイントを特定する。
【００７２】
図９は、本実施例３にかかるポイント管理テーブルのデータ構造の一例を示す図である。同図に示すように、このポイント管理テーブルは、条件と、ポイントとを対応付けて記憶している。例えば、図９において、ＬＯＧ１０（Target  BLER）の値が、−５未満の場合には、かかるTarget  BLERに対応するＴＲＣＨのポイントは「７０」となる。
【００７３】
基準ＴＲＣＨ判定部３０７は、各ＴＲＣＨのポイントを特定し、各ＴＲＣＨのうち、ポイントが最大となるＴＲＣＨを基準ＴＲＣＨとして判定する。基準ＴＲＣＨ判定部３０７は、基準ＴＲＣＨの識別情報を、目標ＢＬＥＲ取得部３０８およびＢＬＥＲ測定部３０９に出力する。
【００７４】
次に、本実施例３にかかる無線通信装置３００がＴＲＣＨを選択する処理について説明する。図１０は、本実施例３にかかる無線通信装置３００がＴＲＣＨを選択する処理手順を示すフローチャートである。
【００７５】
図１０に示すように、無線通信装置３００は、基準ＴＲＣＨ判定部３０７が、ＴＲＣＨを選択し（ステップＳ３０１）、選択したＴＲＣＨに設定されるTarget  BLERを取得する（ステップＳ３０２）。
【００７６】
そして、基準ＴＲＣＨ判定部３０７は、Target  BLERに対応するポイントを判定し（ステップＳ３０３）、全てのＴＲＣＨを選択したか否かを判定する（ステップＳ３０４）。全てのＴＲＣＨを選択していない場合には（ステップＳ３０５，Ｎｏ）、次のＴＲＣＨを選択し（ステップＳ３０６）、ステップＳ３０２に移行する。
【００７７】
一方、全てのＴＲＣＨを選択している場合には（ステップＳ３０５，Ｙｅｓ）、ポイントが最大となるＴＲＣＨを基準のＴＲＣＨとして選択する（ステップＳ３０７）。
【００７８】
上述してきたように、本実施例３にかかる無線通信装置３００は、周波数帯域を共有する複数のＴＲＣＨを用いて基地局との間でデータ通信を行う場合に、予め設定される各ＴＲＣＨのTarget  BLERに基づいて基準ＴＲＣＨを選択する。そして、無線通信装置３００は、基準ＴＲＣＨを利用して伝送されるデータのＢＬＥＲがTarget  BLERとなるように、アウターループ制御を実行するので、あらためてＢＬＥＲの測定などを行う手間をなくし、迅速に、最適な基準ＴＲＣＨを選択することができる。
【実施例４】
【００７９】
次に、本実施例４にかかる無線通信装置の概要および特徴について説明する。本実施例４にかかる無線通信装置は、周波数帯域を共有する複数のＴＲＣＨを用いて基地局との間でデータ通信を行う場合に、ＴＲＣＨを利用して伝送されるデータの符号化方法と、レートマッチング率と、Target  BLERとを基にして基準となるＢＬＥＲを選択する。そして、無線通信装置は、基準ＴＲＣＨを利用して伝送されるデータのＢＬＥＲが目標のＢＬＥＲとなるように、アウターループ制御を実行する。
【００８０】
このように、本実施例４にかかる無線通信装置は、データの符号化方法、レートマッチング率、Target  BLERを基にして複数のＴＲＣＨの中から基準ＴＲＣＨを選択するので、各種の条件に対応して、最適なＴＲＣＨを選択することができ、アウターループ制御を適切に実行することができる。
【００８１】
次に、本実施例４にかかる無線通信装置４００の構成について説明する。図１１は、本実施例４にかかる無線通信装置４００の構成を示す機能ブロック図である。図１１に示すように、この無線通信装置４００は、アンテナ５０と、ＲＦ部４０１と、振幅調整部４０２と、ＡＤ変換部４０３と、逆拡散処理部４０４と、チャネルコーデック処理部４０５と、拡散処理部４０６と、基準ＴＲＣＨ判定部４０７と、目標ＢＬＥＲ取得部４０８と、ＢＬＥＲ測定部４０９と、ＳＩＲ測定部４１０と、ＢＬＥＲ比較部４１１と、目標ＳＩＲ生成部４１２と、ＳＩＲ比較部４１３と、ＴＰＣビット生成部４１４とを有する。
【００８２】
このうち、アンテナ５０、ＲＦ部４０１、振幅調整部４０２、ＡＤ変換部４０３、逆拡散処理部４０４、拡散処理部４０６、目標ＢＬＥＲ取得部４０８、ＢＬＥＲ測定部４０９、ＳＩＲ測定部４１０、ＢＬＥＲ比較部４１１、目標ＳＩＲ生成部４１２、ＳＩＲ比較部４１３、ＴＰＣビット生成部４１４は、図２に示した、アンテナ５０、ＲＦ部１０１、振幅調整部１０２、ＡＤ変換部１０３、逆拡散処理部１０４、拡散処理部１０６、目標ＢＬＥＲ取得部１０８、ＢＬＥＲ測定部１０９、ＳＩＲ測定部１１０、ＢＬＥＲ比較部１１１、目標ＳＩＲ生成部１１２、ＳＩＲ比較部１１３、ＴＰＣビット生成部１１４と同様である。
【００８３】
チャネルコーデック処理部４０５は、データの符号化／復号化を実行する手段である。チャネルコーデック処理部４０５が、データの符号化／復号化を実行する方法は、図２に示したチャネルコーデック処理部１０５と同様である。
【００８４】
特に、本実施例４にかかるチャネルコーデック処理部４０５は、符号化管理テーブル（図３参照）の情報、および、各ＴＲＣＨの識別情報とＴＲＣＨにて伝送されるデータとを対応付けた情報を基準ＴＲＣＨ判定部４０７に出力する。
【００８５】
基準ＴＲＣＨ判定部４０７は、データの符号化方法、レートマッチング率、Target  BLERに基づいて、複数のＴＲＣＨの中から基準ＴＲＣＨを判定する手段である。具体的に、基準ＴＲＣＨ判定部４０７は、ＴＲＣＨ毎に、符号化方法に基づいたポイント（以下、FECp）と、レートマッチング率に基づいたポイント（以下、RMp）と、Target  BLERに基づいたポイント（以下、TBLERp）とを求め、各ポイントの総和を、該当ＴＲＣＨのポイントとして算出する（ＴＲＣＨのポイント＝FECp＋RMp＋TBLERp）。
【００８６】
そして、基準ＴＲＣＨ判定部４０７は、各ＴＲＣＨのポイントを算出し、算出したポイントが最大となるＴＲＣＨを、基準ＴＲＣＨとして選択する。基準ＴＲＣＨ判定部４０７は、各ＴＲＣＨのポイントを算出し、基準ＴＲＣＨを選択した後に、基準ＴＲＣＨの識別情報を、目標ＢＬＥＲ取得部４０８およびＢＬＥＲ測定部４０９に出力する。
【００８７】
ここで、基準ＴＲＣＨ判定部４０７がデータの符号化方法に基づいて、ＴＲＣＨのFECpを算出する方法について説明する。基準ＴＲＣＨ判定部４０７は、第１のポイント管理テーブルを保持し、チャネルコーデック処理部４０５から符号化管理テーブルの情報を取得した場合に、符号化管理テーブルと、第１のポイント管理テーブルとを比較して、各ＴＲＣＨに対応するFECpを特定する。なお、第１のポイント管理テーブルのデータ構造は、図４に示したポイント管理テーブルと同様である。
【００８８】
続いて、基準ＴＲＣＨ判定部４０７がデータのレートマッチング率に基づいて、ＴＲＣＨのRMpを算出する方法について説明する。基準ＴＲＣＨ判定部４０７が、レートマッチン率に基づいて、ＴＲＣＨのRMpを算出する算出式は、
ＴＲＣＨのRMp＝１００×（Ｎ＋△Ｎ）／Ｎ−１００
となる。ここで、Ｎは、各ＴＲＣＨのレートマッチング率の総和であり、△Ｎは、ポイント算出対象となるＴＲＣＨのレートマッチング率である。なお、ＴＲＣＨのレートマッチング率の算出方法は、周知技術に従う。
【００８９】
続いて、基準ＴＲＣＨ判定部４０７がTarget  BLERに基づいてＴＲＣＨのTBLERpを算出する方法について説明する。基準ＴＲＣＨ判定部４０７は、第２のポイント管理テーブルを保持しており、予め設定された各ＴＲＣＨに対応するTarget  BLERの情報を取得した場合に、取得した情報と、第２のポイント管理テーブルとを比較して、各ＴＲＣＨに対応するTBLERpを特定する。なお、第２のポイント管理テーブルのデータ構造は、図９に示したポイント管理テーブルと同様である。
【００９０】
次に、本実施例４にかかる無線通信装置４００がＴＲＣＨを選択する処理について説明する。図１２は、本実施例４にかかる無線通信装置４００がＴＲＣＨを選択する処理手順を示すフローチャートである。
【００９１】
図１２に示すように、無線通信装置４００は、基準ＴＲＣＨ判定部４０７が、ＴＲＣＨを選択し（ステップＳ４０１）、選択したＴＲＣＨに対応する符号化方法の情報を取得する（ステップＳ４０２）。
【００９２】
そして、基準ＴＲＣＨ判定部４０７は、ＴＲＣＨに対応するFECpを判定し（ステップＳ４０３）、ＴＲＣＨのレートマッチング率に基づいてRMpを算出し（ステップＳ４０４）、選択したＴＲＣＨに設定されたTarget  BLERを取得する（ステップＳ４０５）。
【００９３】
続いて、基準ＴＲＣＨ判定部４０７は、Target  BLERに対応するTBLERpを判定し（ステップＳ４０６）、FECpと、RMpと、TBLERpとを合計することにより、ＴＲＣＨに対応するポイントを算出する（ステップＳ４０７）。
【００９４】
基準ＴＲＣＨ判定部４０７は、全てのＴＲＣＨを選択したか否かを判定し（ステップＳ４０８）、全てのＴＲＣＨを選択していない場合には（ステップＳ４０９，Ｎｏ）、次のＴＲＣＨを選択し（ステップＳ４１０）、ステップＳ４０２に移行する。
【００９５】
一方、全てのＴＲＣＨを選択した場合には（ステップＳ４０９，Ｙｅｓ）、ポイントが最大となるＴＲＣＨを基準のＴＲＣＨとして選択する（ステップＳ４１１）。
【００９６】
上述してきたように、本実施例４にかかる無線通信装置４００は、周波数帯域を共有する複数のＴＲＣＨを用いて基地局との間でデータ通信を行う場合に、ＴＲＣＨを利用して伝送されるデータの符号化方法と、レートマッチング率と、Target  BLERとを基にして基準となるＢＬＥＲを選択する。そして、無線通信装置４００は、基準ＴＲＣＨを利用して伝送されるデータのＢＬＥＲが目標のＢＬＥＲとなるように、アウターループ制御を実行するので、各種の条件（符号化方法、レートマッチング率、Target  BLER）に対応して、最適なＴＲＣＨを選択することができ、アウターループ制御を適切に実行することができる。
【００９７】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメータを含む情報については、特記する場合を除いて任意に変更することができる。
【００９８】
以上の実施例を含む実施形態に関し、更に以下の付記を開示する。
【００９９】
（付記１）周波数帯域を共有する複数のチャンネルを用いて基地局との間でデータ通信を行う場合に、前記周波数帯域を共有する複数のチャンネルと当該チャンネルを利用して伝送されるデータの符号化方法とを対応付けて記憶する記憶手段と、
前記チャンネルを利用して伝送されるデータの符号化方法を基にして、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【０１００】
（付記２）周波数帯域を共有する複数のチャンネルを用いて基地局との間でデータ通信を行う場合に、前記周波数帯域を共有する複数のチャンネルを利用して伝送されるデータのレートマッチング率を算出する算出手段と、
前記算出手段の算出結果に基づいて、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【０１０１】
（付記３）周波数帯域を共有する複数のチャンネルを用いて基地局との間でデータ通信を行う場合に、前記周波数帯域を共有する複数のチャンネルと当該チャンネルを利用して伝送されるデータの目標となるエラーレイトとを対応付けて記憶する記憶手段と、
前記チャンネルを利用して伝送されるデータの目標となるエラーレイトを基にして、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【０１０２】
（付記４）周波数帯域を共有する複数のチャンネルを用いて基地局との間でデータ通信を行う場合に、前記周波数帯域を共有する複数のチャンネルと、当該チャンネルを利用して伝送されるデータの符号化方法と、前記データの目標となるエラーレイトとを対応付けて記憶する記憶手段と、
前記チャンネルを利用して伝送されるデータのレートマッチング率を算出する算出手段と、
前記算出手段の算出結果と、前記データの符号化方法と、前記データの目標となるエラーレイトとを基にして、基準となるチャンネルを選択する選択手段と、
前記選択手段によって選択されたチャンネルを利用して伝送されるデータのエラーレイトが目標のエラーレイトとなるようにアウターループ制御を実行するアウターループ制御手段と、
を備えたことを特徴とする無線通信装置。
【０１０３】
（付記５）前記記憶手段は、前記データの符号化方法に対応するポイントと、前記データの目標となるエラーレイトに対応するポイントとを記憶し、前記レートマッチング率をポイントに変換するポイント変換手段を更に備え、前記選択手段は、前記符号化方法のポイントと、前記目標となるエラーレイトのポイントと、前記レートマッチング率のポイントとを基にして、基準となるチャンネルを選択することを特徴とする付記４に記載の無線通信装置。
【０１０４】
（付記６）無線通信装置が、
周波数帯域を共有する複数のチャンネルを用いて基地局との間でデータ通信を行う場合に、前記周波数帯域を共有する複数のチャンネルと当該チャンネルを利用して伝送されるデータの符号化方法とを対応付けて記憶装置に記憶するステップと、
前記チャンネルを利用して伝送されるデータの符号化方法を基にして、基準となるチャンネルを選択するステップと、
選択したチャンネルを利用して伝送されるデータのエラーレイトが目標のエラーレイトとなるようにアウターループ制御を実行するステップと、
を含んだことを特徴とする制御方法。
【０１０５】
（付記７）無線通信装置が、
周波数帯域を共有する複数のチャンネルを用いて基地局との間でデータ通信を行う場合に、前記周波数帯域を共有する複数のチャンネルを利用して伝送されるデータのレートマッチング率を算出するステップと、
算出結果に基づいて、基準となるチャンネルを選択するステップと、
選択したチャンネルを利用して伝送されるデータのエラーレイトが目標のエラーレイトとなるようにアウターループ制御を実行するステップと、
を含んだことを特徴とする制御方法。
【０１０６】
（付記８）無線通信装置が、
周波数帯域を共有する複数のチャンネルを用いて基地局との間でデータ通信を行う場合に、前記周波数帯域を共有する複数のチャンネルと当該チャンネルを利用して伝送されるデータの目標となるエラーレイトとを対応付けて記憶装置に記憶するステップと、
前記チャンネルを利用して伝送されるデータの目標となるエラーレイトを基にして、基準となるチャンネルを選択するステップと、
選択したチャンネルを利用して伝送されるデータのエラーレイトが目標のエラーレイトとなるようにアウターループ制御を実行するステップと、
を含んだことを特徴とする制御方法。
【０１０７】
（付記９）無線通信装置が、
周波数帯域を共有する複数のチャンネルを用いて基地局との間でデータ通信を行う場合に、前記周波数帯域を共有する複数のチャンネルと、当該チャンネルを利用して伝送されるデータの符号化方法と、前記データの目標となるエラーレイトとを対応付けて記憶装置に記憶するステップと、
前記チャンネルを利用して伝送されるデータのレートマッチング率を算出するステップと、
レートマッチング率の算出結果と、前記データの符号化方法と、前記データの目標となるエラーレイトとを基にして、基準となるチャンネルを選択するステップと、
選択したチャンネルを利用して伝送されるデータのエラーレイトが目標のエラーレイトとなるようにアウターループ制御を実行するステップと、
を含んだことを特徴とする制御方法。
【０１０８】
（付記１０）前記レートマッチング率をポイントに変換するステップを更に含み、前記無線通信装置は、前記記憶装置に、前記データの符号化方法に対応するポイントと、前記データの目標となるエラーレイトに対応するポイントとを記憶し、前記符号化方法のポイントと、前記目標となるエラーレイトのポイントと、前記レートマッチング率のポイントとを基にして、基準となるチャンネルを選択することを特徴とする付記９に記載の制御方法。
【符号の説明】
【０１０９】
５０    アンテナ
１００，２００，３００，４００    無線通信装置
１０１，２０１，３０１，４０１    ＲＦ部
１０２，２０２，３０２，４０２    振幅調整部
１０３，２０３，３０３，４０３    ＡＤ変換部
１０４，２０４，３０４，４０４    逆拡散処理部
１０５，２０５，３０５，４０５    チャネルコーデック処理部
１０６，２０６，３０６，４０６    拡散処理部
１０７，２０７，３０７，４０７    基準ＴＲＣＨ判定部
１０８，２０８，３０８，４０８    目標ＢＬＥＲ取得部
１０９，２０９，３０９，４０９    ＢＬＥＲ測定部
１１０，２１０，３１０，４１０    ＳＩＲ測定部
１１１，２１１，３１１，４１１    ＢＬＥＲ比較部
１１２，２１２，３１２，４１２    目標ＳＩＲ生成部
１１３，２１３，３１３，４１３    ＳＩＲ比較部
１１４，２１４，３１４，４１４    ＴＰＣビット生成部
【図１】
2010212796.tif 000003
【図２】
2010212796.tif 000004
【図３】
2010212796.tif 000005
【図４】
2010212796.tif 000006
【図５】
2010212796.tif 000007
【図６】
2010212796.tif 000008
【図７】
2010212796.tif 000009
【図８】
2010212796.tif 000010
【図９】
2010212796.tif 000011
【図１０】
2010212796.tif 000012
【図１１】
2010212796.tif 000013
【図１２】
2010212796.tif 000014